(57)【特許請求の範囲】
【請求項１】
栽培用容器（５）の係止部（５ｂ、５ｃ）を左右の支持パイプ（１１）により支持し、左右の支持パイプ（１１）に温水あるいは冷水を送る構成とし、該左右の支持パイプ（１１）を吊下ワイヤ（４）により吊り下げて多数の栽培用容器（５）を所定間隔置きに吊り下げ支持し、左側回転体（７）及び右側回転体（８）に移動ワイヤ（９）を巻き付け、該移動ワイヤ（９）の上側移動ワイヤ部（９ａ）と下側移動ワイヤ部（９ｂ）に前記吊下ワイヤ（４）を交互に一つおきに連結し、駆動モータの駆動により移動ワイヤ（９）を回転させて隣接する前記栽培用容器（５）を互いに横方向の反対側へ横移動させる構成とし、横移動させた栽培用容器（５）の横に作業者の通る通路（１０）を形成することを特徴とする温室内の栽培用容器の移動装置。
【発明の詳細な説明】
【０００１】
【発明の属する技術分野】
この発明は、栽培用容器を多数配置した温室に関するものである。
【０００２】
【従来の技術】
温室内に多数の栽培用容器を所定間隔置きに吊下ワイヤにより吊り下げ支持して、単位面積当たりの植付面積を確保しながらイチゴや蘭等の作物を栽培することとし、栽培用容器の間に作業者の通る通路を確保するにあたっては、栽培用容器をそれぞれ別個に横方向へ移動して通路用の空間を形成していた。
【０００３】
【発明が解決しようとする課題】
従来装置にあっては、吊り下げている栽培用容器をそれぞれ別個に横方向へ移動して、栽培用容器の横位置に作業者の通る通路を確保する方法であるので、栽培用容器をそれぞれ横移動させるための横移動装置を設けなければならないばかりでなく、作業者の通路を確保するにあたり、それぞれの栽培用容器を横移動させる作業を行わなければならず、作業能率が向上しないという問題点があった。
【０００４】
そこで、この発明は、互いに隣接する栽培用容器を横方向へ移動させて隣接する栽培用容器に接近させて、移動させた栽培用容器の横に広い通路を確保し、従来装置の問題点を解決しようとするものである。
【０００５】
【課題を解決するための手段】
この発明は、前記課題を解決するために、栽培用容器（５）の係止部（５ｂ、５ｃ）を左右の支持パイプ（１１）により支持し、左右の支持パイプ（１１）に温水あるいは冷水を送る構成とし、該左右の支持パイプ（１１）を吊下ワイヤ（４）により吊り下げて多数の栽培用容器（５）を所定間隔置きに吊り下げ支持し、左側回転体（７）及び右側回転体（８）に移動ワイヤ（９）を巻き付け、該移動ワイヤ（９）の上側移動ワイヤ部（９ａ）と下側移動ワイヤ部（９ｂ）に前記吊下ワイヤ（４）を交互に一つおきに連結し、駆動モータの駆動により移動ワイヤ（９）を回転させて隣接する前記栽培用容器（５）を互いに横方向の反対側へ横移動させる構成とし、横移動させた栽培用容器（５）の横に作業者の通る通路（１０）を形成することを特徴とする温室内の栽培用容器の移動装置とする。
【０００６】
【発明の作用及び効果】
栽培用容器５の係止部５ｂ、５ｃを左右の支持パイプ１１により支持し、左右の支持パイプ１１に温水あるいは冷水を送る構成とし、該左右の支持パイプ１１を吊下ワイヤ４により吊り下げ、温室１内に多数の栽培用容器５，５，…を所定間隔置きに吊下ワイヤ４，４，…により吊り下げ支持し、単位面積当たりの植付面積を比較的多く確保し、左側回転体７及び右側回転体８に移動ワイヤ９を巻き付け、該移動ワイヤ９の上側移動ワイヤ部９ａと下側移動ワイヤ部９ｂに前記吊下ワイヤ４を交互に一つおきに連結し、駆動モータの駆動により移動ワイヤ９を回転させることにより、互いに隣接する前記栽培用容器５を横方向の反対側へ移動して隣接する栽培用容器５に接近させるように移動手段により移動させ、移動した栽培用容器５の横に、作業者の通る通路１０を形成する。
【０００７】
よって、冬期には左右の支持パイプ１１に温水を供給して暖房し、夏期には左右の支持パイプ１１に冷水を供給して冷却することができる。また、単位面積あたりの植付面積を比較的増加したものでありながら、左側回転体７及び右側回転体８に移動ワイヤ９を巻き付け、該移動ワイヤ９の上側移動ワイヤ部９ａと下側移動ワイヤ部９ｂに前記吊下ワイヤ４を交互に一つおきに連結し、駆動モータの駆動により移動ワイヤ９を回転させ、隣接する栽培用容器５を互いに横移動させるという比較的簡単な構成により、簡単な作業で広い通路１０を確保することができて、作業者が安心して栽培用容器５の間を通り作業をすることができる。
【０００８】
【発明の実施の形態】
図面に基づきこの発明の実施例の形態について説明する。
図１には、この発明を実施した温室１の側面図が図示されている。温室１内の天井枠体２の前後（紙面に直交する方向）両側には、吊下部３，３，…を所定間隔置きに多数設置し、この吊下部３，３，…には前後一対の吊下ワイヤ４，４を介して、イチゴ等の栽培用容器５，５，…を吊り下げ支持している。
【０００９】
温室１の柱６，６の上下中間部には、前後両側に一対の左側回転体７，７及び右側回転体８，８を設けて、これらの左側回転体７，７及び右側回転体８，８に移動手段である移動ワイヤ９を巻き付けて、駆動モータ（図示省略）により、左側回転体７を回転駆動する構成とし、移動ワイヤ９の上側移動ワイヤ部９ａあるいは下側移動ワイヤ部９ｂに、前記吊下ワイヤ４，４を交互に一つ置きに連結している。
【００１０】
しかして、駆動モータ（図示省略）を回転駆動し、例えば、図１視において、左側回転体７を時計方向に回動し、移動ワイヤ９を回動させると、上側移動ワイヤ部９ａが右側に移動してこれに連結している吊下ワイヤ４，４が右隣の下側移動ワイヤ部９ｂに連結している吊下ワイヤ４，４側すなわち右側に移動すると共に、下側移動ワイヤ部９ｂが左側に移動してこれに連結している吊下ワイヤ４，４が左隣の上側移動ワイヤ部９ａに連結している吊下ワイヤ４，４側すなわち左側に移動し、隣接して吊下られている栽培用容器５，５が互いに接近し、移動した栽培用容器５の側方に作業者の通る通路１０が形成される。
【００１１】
よって、前記実施例にあっては、互いに隣接する栽培用容器５，５を吊り下げている吊下ワイヤ４，４を、移動ワイヤ９により横方向の反対側へ移動させるという比較的簡単な構成により、単位面積あたりの植付面積を比較的多くしたものでありながら、互いに隣接する栽培用容器５，５を反対方向へ移動させるので、栽培用容器５を大きく移動させなくても作業のできる通路１０を確保することができ、また駆動モ−タの作動により移動ワイヤ９を回動させるという簡単な作業で作業者の通る通路１０を確保することができる。
【００１２】
ところで、吊り下げている栽培用容器を引き上げて作業者の移動する通路を確保する構成とすると、通路の上方には容器があり、作業者が容器を意識しながら恐る恐る作業をしなければならない。しかし、前述のように移動ワイヤ９の回動により栽培用容器５を横方向へ移動させて作業者の通る通路１０を確保する構成としたので、上下方向に障害物のない作業者が安心して作業のできる通路１０を確保することができる。
【００１３】
次に、図２に基づき吊下ワイヤ４，４で吊り下げ支持している栽培用容器５について説明する。
栽培用容器５は、断面Ｕ字状に折り曲げられている所定長さの床受け部５ａと、左右両端部の係止部５ｂ，５ｂにより構成している。栽培用容器５の係止部５ｂ，５ｂを左・右支持パイプ１１，１１により支持し、この左・右支持パイプ１１，１１を吊下ワイヤ４，４の左右の下部連結ワイヤ部４ａ、４ａにより吊り下げ、栽培用容器５を吊り下げ支持している。この実施例では、前記左・右支持パイプ１１，１１を温水あるいは冷水を送ることのできるヒーチングパイプに構成し、冬期には温水を供給して暖房し、夏期には冷水を供給して冷却する構成としている。
【００１４】
栽培用容器５の床受け部５ａには、断面台形状に折り曲げた受け板１２を載置し、その受け板１２上に、ロックウールで構成されているベッド１３を載置している。イチゴの親株から育苗した子苗をキューブ１４に移植し、キューブ１４をベッド１３上に二列に並べて載置し栽培する。
【００１５】
夫れ夫れのキューブ１４に所定時間毎に、養液を供給し続けると、苗が成育し、イチゴの実が稔る。栽培用容器５の床受け部５ａの底部には、ドレンパイプ１５が設けられていて、余分の養液を回収できるようになっている。
次に、図３及び図４に基づき、温室１の屋根１６に構成している天窓の開閉装置について説明する。
【００１６】
従来の天窓１７の開閉装置は、図４に示すとおりである。即ち、温室１の屋根１６の先端には、左・右天窓１７，１７を夫れ夫れ開閉自在に軸支して、屋根１６の一側の前側には、右天窓１７の開閉装置１８を設けていた。そして、この開閉装置１８は、例えば、次のように構成されていた。即ち、温室１における屋根１６の下方に位置する天井枠体２には、ギヤボックス１９を配置し、このギヤボックス１９にはモータ（図示省略）により正・逆転自在のピニオン２０を設け、このピニオン２０によりラック２１を左右方向に移動させる構成とし、開閉棒２２の一端をラック２１の端部に連結し、開閉棒２２の他端を右天窓１７の先端部に連結する構成である。なお、左天窓１７の開閉装置は、屋根１６の他端側である後側に同様に構成されていた。
【００１７】
しかして、ピニオン２０を正転、あるいは、逆転させて、右天窓１７を時計方向に回転して開口し、また、反時計方向に回転して閉鎖させていた。
このように、従来装置にあっては、比較的長い開閉棒２２により、天窓１７を下方から持ち上げたり、あるいは、下ろしたりして、開閉するものであり、その開閉装置の構成が複雑で、コスト高になるという問題点があった。そこで、図３に示すように、開閉装置１８の構成を簡素化しようとするものである。
【００１８】
以下、図３に基づきその構成を説明する。
温室１の屋根１６の先端部には、雨除け部１６ａを構成し、この雨除け部１６ａと左・右屋根部１６ｂ，１６ｃの間には、左・右天窓１７，１７を屋根１６の傾斜面に沿って斜め上下方向にスライドできるように、枠体（図示省略）に装着している。そして、屋根１６の裏面側には、ラック２１をスライド自在に装着して、ラック２１と左天窓１７の間を連結体２３により連結し、モータ（図示省略）によりピニオン２０を正転、あるいは、逆転させて、ラック２１を斜め上下にスライド移動し、左天窓１７を開閉する構成である。なお、右天窓１７も同様にして開閉される構成である。
【００１９】
前記のように、左・右天窓１７，１７に開閉装置１８を直接的に取り付けることができて、構成が簡素化し、コストの低減を図ることができ、また、屋根１６の突端部には、左右の屋根１６に雨を分岐する雨除け部１６ａを設けたので、左・右天窓１７，１７を少し開けることにより、雨除け部１６ａと左・右天窓１７，１７の間から矢印方向に流れた空気を逃がし、温室１内への雨の浸入を防止しながら換気することができる。
【図面の簡単な説明】
【図１】側面図である。
【図２】要部の切断正面図である。
【図３】要部の側面図である。
【図４】従来装置の側面図である。
【符号の説明】
１  温室
２  天井枠体
３  吊下部
４  吊下ワイヤ
５  栽培用容器
６  柱
７  左側回転体
８  右側回転体
９  移動ワイヤ
１０  通路
１１  左・右支持パイプ
１２  受け板
１３  ベッド
１４  キューブ
１５  ドレンパイプ
【図１】
0004362922.tif 000002
【図２】
0004362922.tif 000003
【図３】
0004362922.tif 000004
【図４】
0004362922.tif 000005